(57)【要約】【課題】高所にある換気扇のフィルターを交換する時に、不安定な姿勢で、交換をしなければならず、また、換気扇、レンジフード、周辺の壁面には、油が付着しており、滑りやすく、危険な作業である。その上、廃油の付着した使用済みのフィルター枠を、直接手を付けずに取り外し、廃棄できる方法は、今までになかった。【解決手段】予めフィルターを付けた掛け部のあるフィルター枠と、その掛け部で持ち上げ、換気扇まで運ぶための持ち上げ棒を用いることにより、換気扇のフィルターを簡単に、安全に、交換することができる換気扇フィルターの交換方法を提供するものである。【選択図】図１
2009236409.tif 000002
【特許請求の範囲】
【請求項１】
予めフィルターを付けた掛け部のあるフィルター枠と、その掛け部で持ち上げ、換気扇まで運ぶための持ち上げ棒を用いることにより、高所の換気扇のフィルターを簡単に、安全に、交換することを特徴とする換気扇フィルターの交換方法。
【請求項２】
棒状形、凹み形、穴あき、持ち手、フック、クリップなどの掛け部の中から、少なくともいずれか１つを取り付けたフィルター枠を、その掛け部で持ち上げ、換気扇まで運ぶための持ち上げ棒を用いることにより、高所の換気扇のフィルターを簡単に、安全に、交換することが出来ることを特徴とする請求項１記載換気扇フィルターの交換方法。
【請求項３】
換気扇本体の外枠とフィルター枠の固定には、磁石、挿し板、両面接着テープ、面ファスナー、凹凸固定具、ばね固定具、錘などの取り付け部の中から、少なくともいずれか１つを、換気扇本体の外枠かフィルター枠のどちらか一方に、あるいは、両方に取り付けることを特徴とする請求項１記載の換気扇フィルターの交換方法。
【請求項４】
フィルターとフィルター枠が一体となった成型体、または、油受けとフィルター枠が一体となった成型体、または、フィルターと油受けとフィルター枠が一体となった成型体であることを特徴とする請求項１記載の換気扇フィルターの交換方法。
【請求項５】
先端部分がフィルター枠の掛け部に掛かるような形状をしており、フィルター枠を高所の換気扇まで届けることが出来る程度の長さを有する持ち上げ棒であることを特徴とする請求項１記載の換気扇フィルターの交換方法。
【請求項６】
フィルター枠の下部にある油受けは、油固化剤、油吸収材のうちの少なくともどちらか一方を内在或いは含浸させた油受けに用いることにより、取り外し時に油受けから廃油がこぼれないようにすることを特徴とする請求項４記載の換気扇フィルターの交換方法。
【請求項７】
フィルター枠の下部の油受けには、透明或は半透明な窓を設けることにより、取り付けたまま、外から溜まった廃油量がわかるようにして、取り替え時期を知らせることができるようにすることを特徴とする請求項４記載の換気扇フィルターの交換方法。
【請求項８】
フィルター枠の縦方向、横方向とも、枠の内面及び外面に留めのある溝やレールにより、その長さを自在に変更、調整することができる構造になっていることを特徴とする請求項１記載の換気扇フィルターの交換方法。
【発明の詳細な説明】
【技術分野】
【０００１】
この発明は、予めフィルターを付けた掛け部のあるフィルター枠と、その掛け部で持ち上げ、換気扇まで運ぶための持ち上げ棒を用いることにより、高所の換気扇のフィルターを簡単に、安全に、交換することを特徴とする換気扇フィルターの交換方法に関する。
【背景技術】
【０００２】
台所レンジの上や居室の高所にある換気扇のフィルターを交換する作業は、高齢者や女性にとって、大きな負担になっています。特に、台所は、レンジやレンジフードがあり、踏み台に乗り、レンジフードの中に身を置き、不安定な姿勢で、フィルターの交換をしなければならず、高齢者、女性だけでなく、男性にとっても、危険な作業である。また、換気扇、レンジフード、周辺の壁面には、油が付着しており、うっかり、頭髪、肩、手、腕などの身体や衣服につくことも多い。さらに、同時に行う油受けの取り外し、その廃油の廃棄でも、同様に、厄介で、危険な作業である。
【０００３】
従来、こうした交換作業の軽減のため、次のような種々の工夫がされた枠付のフィルターが市販されている。フィルターとフィルター枠が一体となった成型体で、フィルター枠が、アルミ製やプラスチック樹脂製で出来ており、軽くて扱いやすくなっている。さらに、換気扇外枠との固定も、磁石、挿し板、両面接着テープ、ばね式の固定具などで簡単に、取り付けるようになっている。
【０００４】
先行技術として、たとえば、特許文献１では、換気扇にフィルター枠の固定する方法として、換気扇本体の上部と壁面との間の隙間にフィルター枠の一部を挿入し、換気扇本体の下面に対しては、固定機構を持ち、圧接させる方法を採用している。
【０００５】
同じように、特許文献２では、フィルターそのものを、マグネットホルダーを用いて、固定しようとするものである。特許文献３では、枠体の一側端付近の枠面に止着用磁石を固着すると共に、他方側端付近の枠面にベルベット式ファスナーを固着するように工夫している。特許文献４では、フィルター枠にワイヤーを介して、換気扇本体に固定する。以上のような換気扇に固定する方法は、他にも多くの先行技術があるが、いずれも、その交換には、自らの手で、フィルターを持ち、踏み台に乗り、たとえば、レンジフードの中に身を置き、不安定な姿勢で、フィルターの交換をしなければならないことになる。
【特許文献１】特許公開２００７−１８３００９号公報
【特許文献２】特許公開平１０−３８３４０号公報
【特許文献３】登録実用新案公開平５−８５４１５号公報
【特許文献４】特許公開平１−２９１０３３号公報
【０００６】
以上の先行技術は、フィルター、フィルター枠の改良や換気扇への固定をする方法に関するもので、高所にある換気扇のフィルターを交換する時に、踏み台を使用せず、床面に立ったままで、不安定な姿勢にならずに、誰でもが容易に、安全に取り付ける作業ができるようにすることを目的として考案された技術ではないと思われる。
【発明の開示】
【発明が解決しようとする課題】
【０００７】
高所にある換気扇のフィルターを交換する時に、踏み台を使用せず、床面に立ったままで、不安定な姿勢にならずに、誰でもが容易に取り付ける作業ができることが、望まれており、特に、一人暮らしの高齢者、身体障害者や女性などから熱望されている。また、営業用の換気扇のフィルター交換でも、短時間に、安全に作業を終えることが望まれている。さらに、廃油の付着した使用済みのフィルター枠を、直接手を付けずに取り外し、廃棄できる方法も合わせて、要望されている。これまで、このような要望に応える製品や方法はなかった。
【課題を解決するための手段】
【０００８】
以上の課題を解決するために、この発明は、掛け部のあるフィルター枠を、その掛け部で持ち上げ、換気扇まで運ぶための持ち上げ棒を用いることにより、高所の換気扇のフィルターを簡単に交換することが出来ることを特徴とする換気扇フィルターの交換方法を提供するものである。
【０００９】
この方法により、踏み台を使用せず、床面に立ったままで、不安定な姿勢にならずに、誰でもが容易に取り付ける安全な作業ができ、うっかり、頭髪、肩、手、腕などの身体や衣服に、廃油が付くこともない。また、廃油の付着した使用済みのフィルター枠を、直接手を付けずに取り外すことが出来、廃棄処分も簡単にできる。さらに、フィルター枠に油受けを一体化した成型体にすれば、フィルターと一度に、取り外すことが出来、廃棄処分も簡単にできる。
【００１０】
ここで言う換気扇は、フィルターを取り付けることができる換気扇本体の外枠があれば、業務用、一般用を問わない。換気扇本体の外枠が内壁から出ているタイプの換気扇であれば、換気扇本体の外枠の上部にフィルター枠の上部を逆Ｌ字にして脱着することが出来るので、好ましい。内壁から出ていない場合であっても、フィルター枠を脱着することができる構造、すなわち、磁石、挿し板、両面接着テープ、面ファスナー、凹凸固定具、ばね固定具などの部品で固定することが出来れば、問題はない。換気扇の本体、モーター部などが、フィルター枠より、壁から前面に大きく出ている場合は、フィルター枠に大きなふくらみを持たせ、モーター部にフィルターが掛からない構造のものを用いる。
【００１１】
フィルターの枠は、持ち上げ棒で、引っ掛けやすい部位に、棒状形、凹み形、穴あき、持ち手、フック、クリップ、面ファスナーなどの掛け部を取り付けた構造になっている。枠の素材は、難燃性のプラスチック樹脂製、アルミ製、合板製、金属製などで、軽量なものがよく、形状は、四角形、円形、それらの変形の板状や棒状になっている。通常、板状で、その厚みは、軽量化のため、薄い方がよいが、通常、１ｍｍから５ｍｍ程度が好ましい。
【００１２】
掛け部は、一般的に、棒状形、凹み形、穴あき、持ち手、フック、クリップなどから選ばれるが、持ち上げ棒で、持ち上げられるような構造であれば、これらに限定されるものではない。引っ掛けた状態のフィルターの枠が、垂直になるように、フィルターの枠の上半分に掛け部を取り付けるのが好ましい。さらに、掛け部が１つの場合は、上部の中央部に、掛け部が２つの場合は、上部のフィルター枠の左右に取り付けるのが好ましい。さらに、下部にも掛け部を取り付け、３点以上で持ち上げることも、可能である。掛け部は、フィルターの枠から取り外しできる構造でも構わない。
【００１３】
換気扇本体の外枠とフィルター枠の固定には、従来から用いられている方法で、磁石、挿し板、両面接着テープ、面ファスナー、凹凸固定具、ばね固定具、錘などの取り付け部の中から、選ばれた方法がある。磁石で固定する方法、挿し板などを、換気扇本体の外枠と壁の間に差し込む方法、両面接着テープや面ファスナーで固定する方法、換気扇本体の外枠とフィルター枠に凹凸固定具で、差し込む方法、ばね固定具、梃子を用いた錘で留める方法などがあるが、持ち上げ棒で、引っ掛けた状態のフィルター枠を、簡単にしっかり固定するのは、強力な磁石を用いる方法が、好ましい。
【００１４】
通常、ボタン状の磁石でフィルター枠の上部に２箇所以上、側面、下部に２箇所以上を取り付ける方法が選ばれる。また、棒状、シート状の磁石で、枠全体を、しっかり、固定することも有効である。
【００１５】
換気扇本体の外枠とフィルター枠の取り外しには、持ち上げ棒で、フィルター枠の掛け部に引っ掛け、上に引き上げ、前に引き、換気扇本体の外枠からはずせば、簡単に取り外すことが出来る。持ち上げ棒の先端の形は、Ｕ字、Ｙ字、Ｃ字、Ｊ字、Ｌ字、Ｖ字等の形状で、フィルター枠の掛け部に引っ掛けやすくなっている。材質は、プラスチック樹脂製、アルミ製、木竹製などが良いが、持ち上げることができれば、こだわらない。長さは、換気扇に届く長さであれば、良いが、５０ｃｍから１８０ｃｍが好ましい。棒の部分は、釣り竿のように、繋ぎ型にしてもよい。さらに、手元の操作により、先端部が開閉や伸縮して、フィルター枠を挟む、離す構造やゴム製、スポンジなどで、軽く押し付ける、あるいは、引くことにより、先端部が開閉する構造にしてもよい。
【００１６】
換気扇にフィルターを取り付ける際には、あらかじめ、フィルターをフィルター枠に、フィルターを枠に嵌るように切り取り、接着剤やテープで貼り付ける。今日、すでに、フィルターと枠が一体となったプラスチックやアルミ製の成型体が市販されている。このような一体成型体の市販品を使用する場合は、そのものに掛け部を取り付けるようにすれば、よい。その場合、どのようなサイズのものでも対応できるように、フィルター枠が、縦方向、横方向とも、枠の内面及び外面に、たとえば、ノコギリ状の留めのある溝やレールにより、その長さを自在に変更、調整することができる構造になっている。この枠は、四角形、円形に限らず、一部欠けた枠形でも構わない。
【００１７】
フィルター枠の下部に、油受けを設け、油受けとフィルター枠が一体となった成型体であれば、一度に、フィルターと油受けの廃油の廃棄処理が行うことが出来、非常に効率的である。その際、油受けには、油固化剤や油吸収材を内在或いは含浸させておけば、取り外し時に油受けから廃油がこぼれないので、安心して、作業が出来る。ここで用いる油固化剤は、１２ヒドロキシステアリン酸、ステアリン酸石鹸、アミノ酸系ゲル化剤、ポリスチレンポリオレフィンブロック重合体、ベンジリデンソルビトール等の成分が挙げられる。油吸収材は、天然、有機系高分子の繊維によるバルクや不織布挙げられるが、記載する方法に限定するものではない。こうして、他のごみと同様に、焼却すれば、廃油を排水口に流すことなく、河川の汚染を防ぐことができる。
【００１８】
油受けには、透明或は半透明な窓を設けることにより、取り付けたまま、外から溜まった廃油量がわかるようにして、取り替え時期を知らせることができる。
【発明の効果】
【００１９】
以上の説明から明らかのように、この発明は、フィルターの枠の上部に掛け部を取り付けて、フィルターの付いたフィルター枠を持ち上げ、換気扇まで運ぶための持ち上げ棒により、高所の換気扇のフィルターを簡単に交換する方法を提供するもので、踏み台を使用せず、床面に立ったままで、不安定な姿勢にならずに、誰もが交換作業ができる。また、廃油の付着したフィルター枠や油受けを、直接手を付けずに取り外すことが出来、廃棄処分も簡単にできる方法を提供するものである。
【発明を実施するための最良の形態】
【００２０】
以下、この発明の実施形態を、図１から図１５で、例を挙げて詳細に説明する。これらは一例に過ぎず、これらに限定するものではない。
【００２１】
図１は、フィルター枠（６）の上部左右の端に棒状の掛け部（８）のあるフィルター枠（６）を示した立体図である。持ち上げ棒（１０）の先端部（１１）は、フィルター枠の左右の端の棒状掛け部（８）に、掛かるような構造になっている。あらかじめ、フィルター（９）を貼り付けたフィルター枠（６）を、持ち上げ棒（１０）で、持ち上げ、換気扇（１）の上部（２）の上に、フィルター枠の上部（７）が乗るようにして、フィルター枠の上部（７）の裏側にある磁石で固定する。さらに、換気扇（１）外枠の前面（３）、（４）に対応するところにあるフィルター枠の裏側に付けてある磁石等で固定する。すべての面が、換気扇（１）と密着したら、持ち上げ棒（１０）を外すことで、フィルター取り付け作業は完了する。
【００２２】
他方、フィルター枠（６）の換気扇（１）からの取り外しは、持ち上げ棒（１０）で、フィルター枠の掛け部（８）に引っ掛け、上に引き上げ、前に引くことにより、簡単に取り外すことが出来る。図１の右側の持ち上げ棒（１０）は、管状になっており、その先端部（１１）は、手元の操作により、管内のピアノ線で繋がった先端部が伸縮して、フィルター枠を挟む、離す操作をすることが出来る。
【００２３】
図２は、フィルター枠（６）の左右の端に凹みを付けた掛け部（１２）のある凹み形のフィルター枠（６）を示した立体図である。使用方法は、図１と同様である。
【００２４】
図３は、フィルター枠（６）の左右の端に穴を開けた掛け部（１３）のある穴あき形のフィルター枠（６）を示した立体図である。使用方法は、図１と同様である。
【００２５】
図４は、フィルター枠（６）の左右の端にフックを付けた掛け部（１４）のあるフック形のフィルター枠（６）を示した立体図である。使用方法は、図１と同様である。
【００２６】
図５は、フィルター枠の中央部に持ち手を付けた掛け部（１４）のある持ち手形のフィルター枠（６）を示した立体図である。持ち手（１５）の穴に、持ち上げ棒（１０）の先端部（１６）を引っ掛けるようになっている。持ち上げ棒（１０）の先端部（１６）は、L字板型の受けになっている。ここでは、平板状のフィルター枠（６）を用いており、換気扇（１）の前面（３）、（４）に対応するところにあるフィルター枠の裏側に付けてある磁石等だけで固定する。その他の使用方法は、図１と同様である。
【００２７】
図６は、フィルター枠の中央部をクリップで、挟み、そのクリップの掛け部（１７）を持ち上げ棒で、持ち運ぶようにしたクリップ形のフィルター枠（６）を示した立体図である。持ち上げ棒（１０）の先端部（１６）は、判円筒型の受けになっている。その他の使用方法は、図５と同様である。このように、掛け部は、フィルターの枠から取り外しできる構造でも構わない。
【００２８】
次に、換気扇（１）とフィルター枠（６）の固定をする方法の説明をする。
図７は、図１のフィルター枠（６）の裏面を示した背面図と下から見た底面図、横から見た側面図である。円形（１８）は、換気扇（１）に固定する磁石、両面接着テープ、面ファスナーなどの取り付け位置を示した例である。これらの部位で、換気扇本体の外枠かフィルター枠（６）のどちらか一方に、あるいは、両方に、磁石、両面接着テープ、面ファスナーなど取り付ける。
【００２９】
図８は、図１のフィルター枠（６）の裏面を示した背面図と下から見た底面図である。灰色の長方形は、換気扇（１）に固定する磁石、両面接着テープ、面ファスナーなどの取り付け位置を示した一例である。これらの部位で、換気扇本体の外枠かフィルター枠（６）のどちらか一方に、あるいは、両方に、磁石、両面接着テープ、面ファスナーなど取り付ける。
【００３０】
次に、その他の方法について、簡単に説明する。凹凸固定具で固定する場合は、図９の断面図のようにフィルター上部（２０）と換気扇外枠（２１）上部（２２）の構造を凹凸にして、かみ合わせて、固定する。差し込む方法は、図１０の断面図のように換気扇の上部と壁の間の隙間に、フィルター上部先端（２３）を挟み込むことにより、固定する。ばね固定具で留める方法は、図１１の断面図のようにフィルター上部（７）にばね部（２４）を取り付け、換気扇上部（２２）の構造を凹凸にして、かみ合わせ、その後、フィルター枠（６）を下げて、下部の留め部（２６）に、フィルター枠（６）の底部の爪（２５）を押し込み、固定する。
【００３１】
図１２は、左右に掛け部があるフィルター枠（６）を持ち上げるのに使用する持ち上げ棒（１０）の正面図、平面図、側面図である。ここでは、Y字型を一例として示す。
【００３２】
図１３は、中央に掛け部があるフィルター枠（６）を持ち上げるのに使用する持ち上げ棒（１０）の正面図、平面図、側面図である。ここでは、半円筒型を一例として示す。
【００３３】
図１４は、フィルター（９）と油受け（２７）とフィルター枠（６）が一体となった成型体の正面図、底面図、側面図である。油受け（２７）は、壁面の油垂れも集めるように、エプロン部（２８）が、付いている。油受け（２７）には、透明或は半透明な窓（２９）を設けることにより、取り付けたまま、外から溜まった廃油量がわかる。この成型体は、使い捨てとなるので、磁石等の固定部品は、外せるようになっていることが好ましい。
【００３４】
図１５は、縦横の寸法の異なった市販のフィルター付き枠を利用する場合に、どれでもが嵌るように、その長さを自在に調整することができる構造になっているフィルター枠（６）の正面図、底面図、側面図である。ここでは、縦の長さが自在に調整できる例を示す。枠の上部（３１）に枠の下部（３０）が、差し込む構造になっており、その両方の側面は、のこぎり歯状（３２）、（３３）になっていることで、上下の長さの調整と、固定が出来るようになっている。
【図面の簡単な説明】
【００３５】
【図１】本発明のフィルター枠の上部左右の端に棒状の掛け部が付いたフィルター枠を示す立体図である。
【図２】同じくフィルター枠の左右の端に凹みを付けた掛け部がある凹み形のフィルター枠を示す立体図である。
【図３】同じくフィルター枠の左右の端に穴を開けた掛け部のある穴あき形のフィルター枠を示す立体図である。
【図４】同じくフィルター枠の左右の端にフックを付けた掛け部のあるフック形のフィルター枠を示す立体図である。
【図５】同じくフィルター枠の中央部に持ち手を付けた掛け部のある持ち手形のフィルター枠を示す立体図である。
【図６】同じくフィルター枠の中央部をクリップで、挟み、そのクリップの掛け部を持ち上げ棒で、持ち運ぶようにしたクリップ形のフィルター枠を示す立体図である。
【図７】図１のフィルター枠の背面図、底面図、側面図である。
【図８】図１のフィルター枠の別な例の背面図、底面図、側面図である。
【図９】凹凸固定具で固定したフィルター枠の断面図である。
【図１０】挟み込みで固定したフィルター枠の断面図である。
【図１１】ばね固定具で固定したフィルター枠の断面図である。
【図１２】持ち上げ棒の正面図、平面図、側面図である。
【図１３】同じく、持ち上げ棒の正面図、平面図、側面図である。
【図１４】フィルターと油受けとフィルター枠が一体となった成型体の正面図、底面図、側面図である。
【図１５】縦横の長さを自在に調整することができる構造になっているフィルター枠の正面図、底面図、側面図である。
【符号の説明】
【００３６】
１．換気扇
２．換気扇外枠の上部
３．換気扇外枠の前面下部
４．換気扇外枠の前面上部
５．換気扇ファン
６．フィルター枠
７．フィルター枠の上部
８．棒状の掛け部
９．フィルター
１０. 持ち上げ棒
１１．U字、V字、J字、C字、S字などの持ち上げ棒の先端部
１２．凹みを付けた掛け部
１３．穴を開けた掛け部
１４．フックを付けた掛け部
１５．持ち手を付けた掛け部
１６．L字板あるいは半円筒状の先端部
１７．クリップの掛け部
１８．円形の磁石、両面接着テープ、面ファスナーなどの取り付け位置
１９．長方形の磁石、両面接着テープ、面ファスナーなどの取り付け位置  
２０．フィルター枠上部の先の凸部
２１．換気扇外枠の内側上部
２２．換気扇外枠の外側上部の凸部
２３．フィルター枠上部の先端の差し込み部
２４．フィルター枠上部の先のばね部
２５．フィルター枠底部の先の爪部
２６．換気扇外枠の外側下部の留め部
２７．油受け
２８．油受けエプロン部
２９．油受けの透明或は半透明な窓
３０．差し込み型のフィルター枠下部
３１．差し込み型のフィルター枠上部
３２．差し込み型のフィルター枠上部の内面ノコギリ状留め部
３３．差し込み型のフィルター枠下部の内面ノコギリ状留め部
【図１】
2009236409.tif 000003
【図２】
2009236409.tif 000004
【図３】
2009236409.tif 000005
【図４】
2009236409.tif 000006
【図５】
2009236409.tif 000007
【図６】
2009236409.tif 000008
【図７】
2009236409.tif 000009
【図８】
2009236409.tif 000010
【図９】
2009236409.tif 000011
【図１０】
2009236409.tif 000012
【図１１】
2009236409.tif 000013
【図１２】
2009236409.tif 000014
【図１３】
2009236409.tif 000015
【図１４】
2009236409.tif 000016
【図１５】
2009236409.tif 000017